(57)【要約】【課題】テレビの個人視聴率をより正確に測定するための視聴履歴情報を収集する。【解決手段】テレビ視聴履歴収集システム１は、携帯端末２０と、視聴履歴情報管理サーバ４０を含んで構成される。携帯端末２０は、テレビ受像機１０を操作するテレビ操作部２２と、操作の履歴情報を格納する操作履歴格納部２４と、格納された操作履歴情報の送信等を行うネットワーク送受信部２６とを含んで構成される。視聴履歴情報管理サーバ４０は、操作履歴情報の受信等を行うネットワーク送受信部４２と、放送局識別用情報と放送局名とを対応付けて記憶した放送局テーブル４６と、放送局識別用情報に対応する放送局を判別する放送局判別部４４と、判別された放送局情報と操作履歴情報とを対応付けたテレビ視聴履歴情報を格納するテレビ視聴履歴格納部４８とを含んで構成される。【選択図】  図１
2005079609.tif 000002
【特許請求の範囲】
【請求項１】
テレビ受像機の操作を行うことが可能な携帯端末と、テレビ番組の視聴履歴情報を管理するサーバとを含んで構成されるテレビ視聴履歴収集システムであって、
前記携帯端末は、
テレビ番組の視聴に関する操作の履歴を表し、当該テレビ番組を放送した放送局を識別するために用いられる放送局識別用情報を含んだ操作履歴情報を格納する操作履歴格納手段と、
前記格納した操作履歴情報を前記サーバへ送信する送信手段とを備え、
前記サーバは、
前記送信された操作履歴情報を受信する受信手段と、
放送局識別用情報と放送局とを対応付けて記憶した放送局テーブルと、
放送局テーブルを参照して、前記操作履歴情報に含まれた放送局識別用情報に対応する放送局を、視聴されたテレビ番組を放送した放送局として判別する判別手段と、
判別された放送局情報と前記操作履歴情報とを対応付けたテレビ視聴履歴情報を格納するテレビ視聴履歴格納手段とを備えた
ことを特徴とするテレビ視聴履歴収集システム。
【請求項２】
前記操作履歴格納手段は、デジタル放送波に含まれた前記放送局識別用情報を操作履歴情報の一部として格納する
ことを特徴とする請求項１のテレビ視聴履歴収集システム。
【請求項３】
前記携帯端末は、基地局を識別するための基地局識別情報を最寄りの基地局から受信する基地局受信手段をさらに備え、
前記操作履歴格納手段は、前記基地局受信手段により受信された最寄りの基地局の基地局識別情報と、操作されたチャンネル情報との組み合わせからなる前記放送局識別用情報を操作履歴情報の一部として格納する
ことを特徴とする請求項１のテレビ視聴履歴収集システム。
【請求項４】
前記携帯端末は、テレビ受像手段をさらに備えた
ことを特徴とする請求項１のテレビ視聴履歴収集システム。
【発明の詳細な説明】
【０００１】
【発明の属する技術分野】
本発明は、テレビ受像機の操作を行うことが可能な携帯端末と、テレビ番組の視聴履歴情報を管理するサーバとを含んで構成されるテレビ視聴履歴収集システムに関する。
【０００２】
【従来の技術】
従来より、テレビ受像機の視聴状態を監視しテレビ受像機に接続されたＩＳＤＮ回線のＤチャネルを通じてこの視聴状態データを回収することにより、視聴率データを収集する技術が提案されている（下記の特許文献１参照）。
【０００３】
【特許文献１】
特開２００３−１２５１０２号公報
【０００４】
【発明が解決しようとする課題】
しかしながら、上記技術ではＩＳＤＮ回線が接続されたテレビ受像機についての視聴率しか測定することができない。すなわち、視聴者が旅行時や外出時などには視聴率を測定することができない。また、上記技術はテレビ受像機自体の視聴状態データを取得するものであるので、例えばテレビ受像機が、複数の人間で構成される家族で共用されている場合は、個人毎の視聴率を測定することができない。個人毎のテレビ視聴率は、視聴者がボタン入力を行う方式で測定する方法もあるが、視聴者にとって手間がかかる上、視聴者がボタン入力を忘れることがあり、測定結果の正確性に欠けるという問題がある。
【０００５】
一方、テレビ番組の趣向が多様化している現在では、個人別の視聴率の測定はテレビ番組の製作上等で重要性を増しており、個人別の正確な視聴率を測定することが求められている。
【０００６】
本発明は、上記課題を解決するために成されたものであり、テレビの個人視聴率をより正確に測定するための視聴履歴情報を収集することができるテレビ視聴履歴収集システムを提供することを目的とする。
【０００７】
【課題を解決するための手段】
上記目的を達成するために、本発明に係るテレビ視聴履歴収集システムは、請求項１に記載したように、テレビ受像機の操作を行うことが可能な携帯端末と、テレビ番組の視聴履歴情報を管理するサーバとを含んで構成されるテレビ視聴履歴収集システムであって、携帯端末は、テレビ番組の視聴に関する操作の履歴を表し、当該テレビ番組を放送した放送局を識別するために用いられる放送局識別用情報を含んだ操作履歴情報を格納する操作履歴格納手段と、格納した操作履歴情報を前記サーバへ送信する送信手段とを備え、サーバは、送信された操作履歴情報を受信する受信手段と、放送局識別用情報と放送局とを対応付けて記憶した放送局テーブルと、放送局テーブルを参照して、操作履歴情報に含まれた放送局識別用情報に対応する放送局を、視聴されたテレビ番組を放送した放送局として判別する判別手段と、判別された放送局情報と操作履歴情報とを対応付けたテレビ視聴履歴情報を格納するテレビ視聴履歴格納手段とを備えたことを特徴とする。
【０００８】
携帯端末では、視聴者によってテレビ番組の視聴に関する操作がされると、操作履歴格納手段が、その操作の履歴を表し、当該テレビ番組を放送した放送局を識別するために用いられる放送局識別用情報を含んだ操作履歴情報を格納し、送信手段が格納された操作履歴情報をサーバへ送信する。なお、「テレビ番組の視聴に関する操作」には、視聴者が所望のテレビ番組を視聴するために行う必要最低限の操作が含まれればよい。例えば、テレビのスイッチのオン／オフ操作やチャンネルボタンの設定操作等を含むが、視聴条件の調整操作（例えば音量の設定操作や画質の設定操作等）は必ずしも含まなくても良い。
【０００９】
サーバでは、受信手段が携帯端末によって送信された操作履歴情報を受信し、判別手段がその操作履歴情報と放送局テーブルとを参照し、操作履歴情報に含まれた放送局識別用情報に対応する放送局を、視聴されたテレビ番組を放送した放送局として判別し、テレビ視聴履歴情報格納手段が判別された放送局情報と操作履歴情報とを対応付けたテレビ視聴履歴情報を格納する。
【００１０】
このように、視聴者個人により携帯される「携帯端末」によって行われた操作の履歴情報が、放送局情報と対応付けられてテレビ視聴履歴情報としてサーバに自動的に格納されるため、ＩＳＤＮ回線が接続されたテレビ受像機についての操作の履歴情報のみならず、視聴者個人が旅行時や外出時などのテレビ視聴の際に行った操作の履歴情報もテレビ視聴履歴情報としてサーバに格納することができる。従って、視聴者に手間をかけることなく、視聴者個人のテレビ視聴履歴情報を自動的にサーバに格納することで、テレビの個人視聴率をより正確に測定するための視聴履歴情報を収集することができる。
【００１１】
また、本発明のテレビ視聴履歴収集システムにおいては、操作履歴格納手段は、デジタル放送波に含まれた放送局識別用情報を操作履歴情報の一部として格納する構成とすることが望ましい。これにより、本発明に係るテレビ視聴履歴収集システムは、デジタル放送のテレビの個人視聴率をより正確に測定するための視聴履歴情報を収集することができる。
【００１２】
また、本発明のテレビ視聴履歴収集システムにおいては、携帯端末は、基地局を識別するための基地局識別情報を最寄りの基地局から受信する基地局受信手段をさらに備え、操作履歴格納手段は、当該基地局受信手段により受信された最寄りの基地局の基地局識別情報と、操作されたチャンネル情報との組み合わせからなる放送局識別用情報とを操作履歴情報の一部として格納する構成とすることが望ましい。これにより、本発明に係るテレビ視聴履歴収集システムは、地域によりチャンネルと放送局の対応が異なる場合（例えばアナログ放送の場合）でもテレビの個人視聴率をより正確に測定するための視聴履歴情報を収集することができる。
【００１３】
また、本発明のテレビ視聴履歴収集システムにおいては、携帯端末は、テレビ受像手段をさらに備えた構成とすることが望ましい。これにより、本発明に係る視聴履歴収集システムは、テレビ受像手段を備えた携帯端末によって行われた操作の履歴情報より、当該視聴者のテレビの個人視聴率をより正確に測定することができる。なお、この場合、テレビ受像手段を備えた携帯端末によって行われた操作には、当該携帯端末に備えたテレビ受像手段に対する操作のみならず、当該視聴者が当該携帯端末により他のテレビ受像機に対して行った操作をも含まれる。
【００１４】
【発明の実施の形態】
以下、図面を参照しながら、本発明に係るテレビ視聴履歴収集システムの各種の実施形態について説明する。ここで第１実施形態はデジタルテレビ放送の視聴履歴収集の形態、第２実施形態はアナログテレビ放送の視聴履歴収集の形態、第３実施形態はテレビ受像機能を備えた携帯端末による視聴履歴収集の形態にそれぞれ対応している。
【００１５】
［第１実施形態］
図１には、本実施形態におけるテレビ視聴履歴収集システム１の構成図を示す。同図に示すように、テレビ視聴履歴収集システム１は、携帯端末２０と、視聴履歴情報管理サーバ４０を含んで構成される。携帯端末２０は、例えば、テレビのリモートコントロール機能を備えた携帯端末（携帯電話、ＰＤＡ（Ｐｅｒｓｏｎａｌ  Ｄｉｇｉｔａｌ  Ａｓｓｉｓｔａｎｔｓ）、ノート型パーソナルコンピュータ）及び複数種類のテレビ受像機に対して使用可能で通信機能を備えたリモートコントローラなどが考えられる。
【００１６】
携帯端末２０は、テレビ受像機１０を操作するテレビ操作部２２と、テレビ操作部２２で操作されたテレビ番組の視聴に関する操作の履歴情報を格納する操作履歴格納部２４と、携帯端末を使用している視聴者の認証を行うためのユーザＩＤ及び格納された操作履歴情報の送信等を行うネットワーク送受信部２６とを含んで構成される。
【００１７】
操作履歴格納部２４は、テレビ番組の視聴に関する操作の履歴情報を記憶した操作履歴情報テーブル２４Ａを含んで構成される。
【００１８】
図２に示すように、操作履歴情報テーブル２４Ａは、テレビ操作部２２で操作されたテレビ番組の視聴に関する操作ごとに、視聴開始日、視聴開始時刻、視聴終了日、視聴終了時刻、デジタル放送波に含まれた放送局識別用情報であるネットワークＩＤを記憶している。例えば図２の１行目は、２００３年６月２４日の１４：００から１４：０１まで、ネットワークＩＤ「００１００」に対応した放送局の放送を視聴する操作を行ったことを示している。
【００１９】
視聴履歴情報管理サーバ４０は、携帯端末２０によって送信された操作履歴情報及びユーザＩＤの受信等を行うネットワーク送受信部４２と、受信したユーザＩＤにより携帯端末を使用している視聴者の認証を行う認証部４１と、図３に示すように、放送局識別用情報であるネットワークＩＤと放送局名とを対応付けて記憶した放送局テーブル４６と、放送局テーブル４６を参照して、操作履歴情報に含まれた放送局識別用情報であるネットワークＩＤに対応する放送局を、視聴されたテレビ番組を放送した放送局として判別する放送局判別部４４と、判別された放送局情報と操作履歴情報とを対応付けたテレビ視聴履歴情報を格納するテレビ視聴履歴格納部４８とを含んで構成される。
【００２０】
テレビ視聴履歴格納部４８は、判別された放送局情報と操作履歴情報とを対応付けたテレビ視聴履歴情報を記憶するテレビ視聴履歴データベース４８Ａを含んで構成される。
【００２１】
図４に示すように、テレビ視聴履歴データベース４８Ａは、操作履歴情報テーブル２４Ａの情報ごとに、ユーザＩＤ、視聴開始日、視聴開始時刻、視聴終了日、視聴終了時刻、ネットワークＩＤ、当該ネットワークＩＤに対応した視聴放送局を記憶している。例えば、前述の例に対応して、図４のユーザＩＤ「００００１」のタブが付いた表の１行目は、ユーザＩＤ「００００１」のユーザが、２００３年６月２４日の１４：００から１４：０１まで、ネットワークＩＤ「００１００」に対応した放送局Ａ０の放送を視聴したことを示している。
【００２２】
テレビ受像機１０は、デジタルテレビ放送の放送波を受信可能な受像機である。
【００２３】
以下、図５を用いて、本実施形態におけるテレビ視聴履歴収集システム１により実行される処理を説明する。本実施形態は、テレビ視聴時の処理とテレビ視聴後の処理との２種類の処理からなる。
【００２４】
テレビ視聴時の処理は以下である。まず、テレビ視聴履歴収集の対象となる視聴者は、テレビの視聴を行う際、テレビ操作部２２を操作し、テレビ受像機１０を操作するためのアプリケーションを起動する（Ｓ０１）。
【００２５】
続いて、視聴者は、テレビ受像機１０の電源をオンにするためにテレビ操作部２２のテレビ電源ボタンを押下する（Ｓ０２）。テレビ電源ボタンが押下されると、テレビ操作部２２はテレビ受像機１０の電源をオンにするリモコン信号を赤外線等でテレビ受像機１０へ送信し、そのリモコン信号を受信したテレビ受像機１０は電源がオンとなる（Ｓ０３）。電源がオンとなったテレビ受像機１０は、その動作信号を携帯端末２０へ送信する。携帯端末２０が当該動作信号を受信すると、操作履歴格納部２４は、その日時を、テレビ受像機１０が電源オン時に受信しているデジタル放送波に含まれたネットワークＩＤに対応する操作履歴情報の視聴開始日及び視聴開始時刻として、操作履歴情報テーブル２４Ａに記憶させる（Ｓ０４）。
【００２６】
続いて、視聴者は、違う放送局の番組を視聴する際、放送局を変更するためにテレビ操作部２２の選局ボタンを押下する（Ｓ０５）。選局ボタンが押下されると、テレビ操作部２２は選局された放送局の放送へ変更するリモコン信号を赤外線等でテレビ受像機１０へ送信し、そのリモコン信号を受信したテレビ受像機１０は当該選局された放送局の放送へ変更された状態となる（Ｓ０６）。放送する放送局が変更されたテレビ受像機１０は、当該変更されたデジタル放送の放送局のネットワークＩＤを携帯端末２０へ送信する。携帯端末２０が当該ネットワークＩＤを受信すると、操作履歴格納部２４は、その日時を、変更前のデジタル放送波に含まれたネットワークＩＤに対応する操作履歴情報の視聴終了日及び視聴終了時刻として、また、変更後のデジタル放送波に含まれたネットワークＩＤに対応する操作履歴情報の視聴開始日及び視聴開始時刻として、操作履歴情報テーブル２４Ａに記憶させる（Ｓ０７）。
【００２７】
処理Ｓ０５からＳ０７は、視聴者がテレビ操作部２２の選局ボタンを押下する毎に行われる。
【００２８】
続いて、視聴者は、テレビの視聴を終了する際、テレビ受像機１０の電源をオフにするためにテレビ操作部２２のテレビ電源ボタンを押下する（Ｓ０８）。テレビ電源ボタンが押下されると、テレビ操作部２２からテレビの電源をオフにするリモコン信号が赤外線等でテレビ受像機１０に送信され、テレビ受像機１０は電源がオフとなる（Ｓ０９）。電源がオフとなったテレビ受像機１０は、その動作信号を携帯端末２０に送信する。携帯端末２０が当該動作信号を受信すると、操作履歴格納部２４は、その日時を、テレビ受像機１０が電源オフ時に受信していたデジタル放送波に含まれたネットワークＩＤに対応する操作履歴情報の視聴終了日及び視聴終了時刻として、操作履歴情報テーブル２４Ａに記憶させる（Ｓ１０）。これらの処理の終了後、テレビ受像機１０を操作するためのアプリケーションは終了する。
【００２９】
テレビ視聴後は以下の処理である。テレビ視聴後は携帯端末２０から視聴履歴情報管理サーバ４０へ操作履歴情報を送付するため、定期的（例えば１日に数回、１日に１回、数日に１回）且つ自動的に当該処理が実行される。また、携帯端末２０が視聴履歴情報管理サーバ４０から操作履歴情報の送信要求を受信した場合も随時、当該処理が実行される。以下では、一例として１日に数回送信する例について説明する。
【００３０】
まず、設定された時間または一定時間間隔等に、携帯端末２０は操作履歴を送信するための送信部アプリケーションを自動で起動する（Ｓ１１）。送信部アプリケーションが起動すると、携帯端末２０のネットワーク送受信部２６は、視聴履歴情報管理サーバ４０へ、ネットワーク３０を通じて、当該携帯端末２０を使用している視聴者を認識するためのユーザＩＤを送信する（Ｓ１２）。視聴履歴情報管理サーバ４０のネットワーク送受信部４２が、送信されたユーザＩＤを受信すると、認証部４１は当該ユーザＩＤによりユーザの認証を行い、当該認証後、ネットワーク送受信部４２は携帯端末２０へ、ネットワーク３０を通じて、操作履歴情報送信の要求を送信する（Ｓ１３）。携帯端末２０のネットワーク送受信部２６が、当該操作履歴情報送信の要求を受信すると、ネットワーク送受信部２６は、視聴履歴情報管理サーバ４０へ、ネットワーク３０を通じて、テレビ視聴時の処理にて操作履歴情報テーブル２４Ａに記憶された操作履歴情報を送信する（Ｓ１４）。
【００３１】
続いて、視聴履歴情報管理サーバ４０のネットワーク送受信部４２が、当該送信された操作履歴情報を受信すると、放送局判別部４４は、放送局テーブル４６を参照し、当該操作履歴情報に含まれるネットワークＩＤから視聴された放送局を判別する（Ｓ１５）。
【００３２】
続いて、テレビ視聴履歴格納部４８は、上記各処理により取得したユーザＩＤ、操作履歴情報、視聴された放送局情報の各情報を対応付け、当該ユーザのテレビ視聴履歴情報として、テレビ視聴履歴データベース４８Ａに記憶させる（Ｓ１６）。これらの処理の終了後、自動起動された操作履歴を送信するための送信部アプリケーションは終了する。
【００３３】
これにより、視聴者個人により携帯される「携帯端末」によって行われた操作の履歴情報が、デジタル放送波に含まれたネットワークＩＤにより判別された放送局情報と対応付けられてテレビ視聴履歴情報としてサーバに自動的に格納される。従って、視聴者個人が旅行時や外出時などのテレビ視聴の際に行った操作の履歴情報もテレビ視聴履歴情報としてサーバに格納することができ、かつ視聴者に手間をかけることなく、視聴者個人のデジタル放送のテレビ視聴履歴情報を自動的にサーバに格納することで、デジタル放送のテレビの個人視聴率をより正確に測定するための視聴履歴情報を収集することができる。もちろん、サーバが要求した場合にも随時、サーバはデジタル放送のテレビの個人視聴率をより正確に測定するための視聴履歴情報を収集することができる。
【００３４】
［第２実施形態］
図６には、本実施形態におけるテレビ視聴履歴収集システム１の構成図を示す。同図に示すように、テレビ視聴履歴収集システム１は、携帯端末２０と、視聴履歴情報管理サーバ４０を含んで構成される。携帯端末２０は、例えば、テレビのリモートコントロール機能を備えた携帯端末（携帯電話、ＰＤＡ（Ｐｅｒｓｏｎａｌ  Ｄｉｇｉｔａｌ  Ａｓｓｉｓｔａｎｔｓ）、ノート型パーソナルコンピュータ）及び複数種類のテレビ受像機に対して使用可能で通信機能を備えたリモートコントローラなどが考えられる。
【００３５】
携帯端末２０は、テレビ受像機１０を操作するテレビ操作部２２と、テレビ操作部２２で操作されたテレビ番組の視聴に関する操作の履歴情報を格納する操作履歴格納部２４と、携帯端末を使用している視聴者の認証を行うためのユーザＩＤ及び格納された操作履歴情報の送信等を行うネットワーク送受信部２６と、基地局を識別するための基地局識別情報である基地局ＩＤを最寄りの基地局から受信する基地局情報受信部２８とを含んで構成される。
【００３６】
操作履歴格納部２４は、テレビ番組の視聴に関する操作の履歴情報を記憶した操作履歴情報テーブル２４Ａを含んで構成される。
【００３７】
図７に示すように、操作履歴情報テーブル２４Ａは、テレビ操作部２２で操作されたテレビ番組の視聴に関する操作ごとに、視聴開始日、視聴開始時刻、視聴終了日、視聴終了時刻、基地局ＩＤ、操作されたチャンネルを記憶している。例えば図２の１行目は、２００３年６月２４日の１４：００から１４：０１まで、基地局ＩＤ「０００１」の地域で、チャンネル「１」に対応した放送局の放送を視聴する操作を行ったことを示している。
【００３８】
視聴履歴情報管理サーバ４０は、携帯端末２０によって送信された操作履歴情報及びユーザＩＤの受信等を行うネットワーク送受信部４２と、受信したユーザＩＤにより携帯端末を使用している視聴者の認証を行う認証部４１と、図８に示すように、基地局識別情報である基地局ＩＤ及びチャンネルと放送局名とを対応付けて記憶した放送局テーブル４６と、放送局テーブル４６を参照して、操作履歴情報に含まれた基地局識別情報である基地局ＩＤ及び操作されたチャンネル情報に対応する放送局を、視聴されたテレビ番組を放送した放送局として判別する放送局判別部４４と、判別された放送局情報と操作履歴情報とを対応付けたテレビ視聴履歴情報を格納するテレビ視聴履歴格納部４８とを含んで構成される。
【００３９】
テレビ視聴履歴格納部４８は、判別された放送局情報と操作履歴情報とを対応付けたテレビ視聴履歴情報を記憶するテレビ視聴履歴データベース４８Ａを含んで構成される。
【００４０】
図９に示すように、テレビ視聴履歴データベース４８Ａは、操作履歴情報テーブル２４Ａの情報ごとに、ユーザＩＤ、視聴開始日、視聴開始時刻、視聴終了日、視聴終了時刻、基地局ＩＤ、チャンネル、当該基地局ＩＤ及びチャンネルに対応した視聴放送局を記憶している。例えば、前述の例に対応して、図４のユーザＩＤ「００００１」のタブが付いた表の１行目は、ユーザＩＤ「００００１」のユーザが、２００３年６月２４日の１４：００から１４：０１まで、基地局ＩＤ「０００１」の地域でチャンネル「１」に対応した放送局Ａ０の放送を視聴したことを示している。
【００４１】
テレビ受像機１０は、地域によりチャンネルと放送局の対応が異なるアナログテレビ放送の放送波を受信可能な受像機である。
【００４２】
以下、図１０を用いて、本実施形態におけるテレビ視聴履歴収集システム１により実行される処理を説明する。本実施形態は、テレビ視聴時の処理とテレビ視聴後の処理との２種類の処理からなる。
【００４３】
テレビ視聴時の処理は以下である。まず、テレビ視聴履歴収集の対象となる視聴者は、テレビの視聴を行う際、テレビ操作部２２を操作し、テレビ受像機１０を操作するためのアプリケーションを起動する（Ｓ３１）。
【００４４】
続いて、基地局情報受信部２８は、基地局５０から送信される基地局ＩＤを受信する（Ｓ３２）。
【００４５】
続いて、視聴者は、テレビ受像機１０の電源をオンにするためにテレビ操作部２２のテレビ電源ボタンを押下する（Ｓ３３）。テレビ電源ボタンが押下されると、テレビ操作部２２はテレビ受像機１０の電源をオンにするリモコン信号を赤外線等でテレビ受像機１０へ送信し、そのリモコン信号を受信したテレビ受像機１０は電源がオンとなる（Ｓ３４）。電源がオンとなったテレビ受像機１０は、その動作信号を携帯端末２０へ送信する。携帯端末２０が当該動作信号を受信すると、操作履歴格納部２４は、その日時を、上記受信した基地局ＩＤ及びテレビ受像機１０の電源オン時のチャンネル情報に対応する操作履歴情報の視聴開始日及び視聴開始時刻として、操作履歴情報テーブル２４Ａに記憶させる（Ｓ３５）。
【００４６】
続いて、視聴者は、違う放送局の番組を視聴する際、放送局を変更するためにテレビ操作部２２の選局ボタンを押下する（Ｓ３６）。選局ボタンが押下されると、テレビ操作部２２は選局された放送局の放送へ変更するリモコン信号を赤外線等でテレビ受像機１０へ送信し、そのリモコン信号を受信したテレビ受像機１０は当該選局された放送局の放送へ変更された状態となる（Ｓ３７）。放送する放送局が変更されたテレビ受像機１０は、当該変更されたチャンネル情報を携帯端末２０へ送信する。携帯端末２０が当該チャンネル情報を受信すると、操作履歴格納部２４は、その日時を、上記受信した基地局ＩＤ及び変更前のチャンネル情報に対応する操作履歴情報の視聴終了日及び視聴終了時刻として、また、上記受信した基地局ＩＤ及び変更後のチャンネル情報に対応する操作履歴情報の視聴開始日及び視聴開始時刻として、操作履歴情報テーブル２４Ａに記憶させる（Ｓ３８）。
【００４７】
処理Ｓ３５からＳ３８は、視聴者がテレビ操作部２２の選局ボタンを押下する毎に行われる。
【００４８】
続いて、視聴者は、テレビの視聴を終了する際、テレビ受像機１０の電源をオフにするためにテレビ操作部２２のテレビ電源ボタンを押下する（Ｓ３９）。テレビ電源ボタンが押下されると、テレビ操作部２２からテレビの電源をオフにするリモコン信号が赤外線等でテレビ受像機１０に送信され、テレビ受像機１０は電源がオフとなる（Ｓ４０）。電源がオフとなったテレビ受像機１０は、その動作信号を携帯端末２０に送信する。携帯端末２０が当該動作信号を受信すると、操作履歴格納部２４は、その日時を、上記受信した基地局ＩＤ及びテレビ受像機１０の電源オフ時のチャンネル情報に対応する操作履歴情報の視聴終了日及び視聴終了時刻として、操作履歴情報テーブル２４Ａに記憶させる（Ｓ４１）。これらの処理の終了後、テレビ受像機１０を操作するためのアプリケーションは終了する。
【００４９】
テレビ視聴後は以下の処理である。テレビ視聴後は携帯端末２０から視聴履歴情報管理サーバ４０へ操作履歴情報を送付するため、定期的（例えば１日に数回、１日に１回、数日に１回）且つ自動的に当該処理が実行される。また、携帯端末２０が視聴履歴情報管理サーバ４０から操作履歴情報の送信要求を受信した場合も随時、当該処理が実行される。以下では、一例として１日に数回送信する例について説明する。
【００５０】
まず、設定された時間または一定時間間隔等に、携帯端末２０は操作履歴を送信するための送信部アプリケーションを自動で起動する（Ｓ４２）。送信部アプリケーションが起動すると、携帯端末２０のネットワーク送受信部２６は、視聴履歴情報管理サーバ４０へ、ネットワーク３０を通じて、当該携帯端末２０を使用している視聴者を認識するためのユーザＩＤを送信する（Ｓ４３）。視聴履歴情報管理サーバ４０のネットワーク送受信部４２が、送信されたユーザＩＤを受信すると、認証部４１は当該ユーザＩＤによりユーザの認証を行い、当該認証後、ネットワーク送受信部４２は携帯端末２０へ、ネットワーク３０を通じて、操作履歴情報送信の要求を送信する（Ｓ４４）。携帯端末２０のネットワーク送受信部２６が、当該操作履歴情報送信の要求を受信すると、ネットワーク送受信部２６は、視聴履歴情報管理サーバ４０へ、ネットワーク３０を通じて、テレビ視聴時の処理にて操作履歴情報テーブル２４Ａに記憶された操作履歴情報を送信する（Ｓ４５）。
【００５１】
続いて、視聴履歴情報管理サーバ４０のネットワーク送受信部４２が、当該送信された操作履歴情報を受信すると、放送局判別部４４は、放送局テーブル４６を参照し、当該操作履歴情報に含まれる基地局ＩＤ及びチャンネル情報から視聴された放送局を判別する（Ｓ４６）。
【００５２】
続いて、テレビ視聴履歴格納部４８は、上記各処理により取得したユーザＩＤ、操作履歴情報、視聴された放送局情報の各情報を対応付け、当該ユーザのテレビ視聴履歴情報として、テレビ視聴履歴データベース４８Ａに記憶させる（Ｓ４７）。これらの処理の終了後、自動起動された操作履歴を送信するための送信部アプリケーションは終了する。
【００５３】
これにより、視聴者個人により携帯される「携帯端末」によって行われた操作の履歴情報が、基地局ＩＤ及びチャンネル情報により判別された放送局情報と対応付けられてテレビ視聴履歴情報としてサーバに自動的に格納される。従って、視聴者個人が旅行時や外出時などのテレビ視聴の際に行った操作の履歴情報もテレビ視聴履歴情報としてサーバに格納することができ、かつ視聴者に手間をかけることなく、視聴者個人のアナログ放送のテレビ視聴履歴情報を自動的にサーバに格納することで、地域によりチャンネルと放送局の対応が異なるアナログ放送のテレビの個人視聴率をより正確に測定するための視聴履歴情報を収集することができる。もちろん、サーバが要求した場合にも随時、サーバはアナログ放送のテレビの個人視聴率をより正確に測定するための視聴履歴情報を収集することができる。
【００５４】
［第３実施形態］
図１１には、本実施形態におけるテレビ視聴履歴収集システム１の構成図を示す。同図に示すように、テレビ視聴履歴収集システム１は、携帯端末２０と、視聴履歴情報管理サーバ４０を含んで構成される。携帯端末２０は、例えば、テレビのリモートコントロール機能とテレビ受像機能とを備えた携帯端末（携帯電話、ＰＤＡ（Ｐｅｒｓｏｎａｌ  Ｄｉｇｉｔａｌ  Ａｓｓｉｓｔａｎｔｓ）、ノート型パーソナルコンピュータ）及び複数種類のテレビ受像機に対して使用可能で通信機能とテレビ受像機能とを備えたリモートコントローラなどが考えられる。
【００５５】
携帯端末２０は、テレビ受像部２９及びテレビ受像機１０を操作するテレビ操作部２２と、テレビ操作部２２で操作されたテレビ番組の視聴に関する操作の履歴情報を格納する操作履歴格納部２４と、携帯端末を使用している視聴者の認証を行うためのユーザＩＤ及び格納された操作履歴情報の送信等を行うネットワーク送受信部２６と、テレビ受像部２９とを含んで構成される。
【００５６】
操作履歴格納部２４は、テレビ番組の視聴に関する操作の履歴情報を記憶した操作履歴情報テーブル２４Ａを含んで構成される。
【００５７】
図１２に示すように、操作履歴情報テーブル２４Ａは、テレビ操作部２２で操作されたテレビ番組の視聴に関する操作ごとに、視聴開始日、視聴開始時刻、視聴終了日、視聴終了時刻、携帯端末２０テレビ受像機１０のいずれでテレビを視聴したのかを表す視聴区分、デジタル放送波に含まれた放送局識別用情報であるネットワークＩＤを記憶している。例えば図１２の１行目は、携帯端末に備えたテレビ受像部に対して２００３年６月２４日の１４：００から１４：０１まで、ネットワークＩＤ「００１００」に対応した放送局の放送を視聴する操作を行ったことを示している。
【００５８】
視聴履歴情報管理サーバ４０は、携帯端末２０によって送信された操作履歴情報及びユーザＩＤの受信等を行うネットワーク送受信部４２と、受信したユーザＩＤにより携帯端末を使用している視聴者の認証を行う認証部４１と、図３に示すように、放送局識別用情報であるネットワークＩＤと放送局名とを対応付けて記憶した放送局テーブル４６と、放送局テーブル４６を参照して、操作履歴情報に含まれた放送局識別用情報であるネットワークＩＤに対応する放送局を、視聴されたテレビ番組を放送した放送局として判別する放送局判別部４４と、判別された放送局情報と操作履歴情報とを対応付けたテレビ視聴履歴情報を格納するテレビ視聴履歴格納部４８とを含んで構成される。
【００５９】
テレビ視聴履歴格納部４８は、判別された放送局情報と操作履歴情報とを対応付けたテレビ視聴履歴情報を記憶するテレビ視聴履歴データベース４８Ａを含んで構成される。
【００６０】
図１３に示すように、テレビ視聴履歴データベース４８Ａは、操作履歴情報テーブル２４Ａの情報ごとに、ユーザＩＤ、視聴開始日、視聴開始時刻、視聴終了日、視聴終了時刻、視聴区分、ネットワークＩＤ、当該ネットワークＩＤに対応した視聴放送局を記憶している。例えば、前述の例に対応して、図１３のユーザＩＤ「００００１」のタブが付いた表の１行目は、ユーザＩＤ「００００１」のユーザが、携帯端末に備えたテレビ受像部に対して２００３年６月２４日の１４：００から１４：０１まで、ネットワークＩＤ「００１００」に対応した放送局Ａ０の放送を視聴したことを示している。
【００６１】
テレビ受像機１０は、デジタルテレビ放送の放送波を受信可能な受像機である。
【００６２】
以下、図１４を用いて、本実施形態におけるテレビ視聴履歴収集システム１により実行される処理を説明する。なお、本実施形態はテレビ受像機１０でテレビを視聴する場合とテレビ受像部２９でテレビを視聴する場合の２通りの処理がある。ここでは、テレビ受像機１０でテレビを視聴する場合の処理は第１実施形態の処理とほぼ同一であるので説明を省略し、テレビ受像部２９でテレビを視聴する場合の処理のみ説明する。本実施形態は、テレビ視聴時の処理とテレビ視聴後の処理との２種類の処理からなる。
【００６３】
テレビ視聴時の処理は以下である。まず、テレビ視聴履歴収集の対象となる視聴者は、テレビの視聴を行う際、テレビ操作部２２を操作し、テレビ受像部２９のテレビ機能を起動させる（Ｓ６１）。テレビ機能が起動すると、操作履歴格納部２４は、その日時を、テレビ受像部２９がテレビ機能起動時に受信しているデジタル放送波に含まれたネットワークＩＤに対応する操作履歴情報の視聴開始日及び視聴開始時刻として、その視聴区分「携帯端末」と共に、操作履歴情報テーブル２４Ａに記憶させる（Ｓ６２）。なお、テレビ受像機１０でテレビを視聴する場合は、視聴区分として「固定テレビ」が記憶される。
【００６４】
続いて、視聴者は、違う放送局の番組を視聴する際、放送局を変更するためにテレビ操作部２２の選局ボタンを押下する（Ｓ６３）。選局ボタンが押下されると、テレビ受像部２９は当該選局された放送局の放送へ変更された状態となる。操作履歴格納部２４は、その日時を、変更前のデジタル放送波に含まれたネットワークＩＤに対応する操作履歴情報の視聴終了日及び視聴終了時刻として、また、変更後のデジタル放送波に含まれたネットワークＩＤに対応する操作履歴情報の視聴開始日及び視聴開始時刻として、その視聴区分「携帯端末」と共に、操作履歴情報テーブル２４Ａに記憶させる（Ｓ６４）。なお、テレビ受像機１０でテレビを視聴する場合は、視聴区分として「固定テレビ」が記憶される。
【００６５】
処理Ｓ６３及びＳ６４は、視聴者がテレビ操作部２２の選局ボタンを押下する毎に行われる。
【００６６】
続いて、視聴者は、テレビの視聴を終了する際、テレビ操作部２２を操作し、テレビ受像部２９のテレビ機能を終了させる（Ｓ６５）。テレビ機能が終了すると、操作履歴格納部２４は、その日時を、テレビ受像部２９がテレビ機能終了時に受信していたデジタル放送波に含まれたネットワークＩＤに対応する操作履歴情報の視聴終了日及び視聴終了時刻として、操作履歴情報テーブル２４Ａに記憶させる（Ｓ６６）。
【００６７】
テレビ視聴後は以下の処理である。テレビ視聴後は携帯端末２０から視聴履歴情報管理サーバ４０へ操作履歴情報を送付するため、定期的（例えば１日に数回、１日に１回、数日に１回）且つ自動的に当該処理が実行される。また、携帯端末２０が視聴履歴情報管理サーバ４０から操作履歴情報の送信要求を受信した場合も随時、当該処理が実行される。以下では、一例として１日に数回送信する例について説明する。
【００６８】
まず、設定された時間または一定時間間隔等に、携帯端末２０は操作履歴を送信するための送信部アプリケーションを自動で起動する（Ｓ６７）。送信部アプリケーションが起動すると、携帯端末２０のネットワーク送受信部２６は、視聴履歴情報管理サーバ４０へ、ネットワーク３０を通じて、当該携帯端末２０を使用している視聴者を認識するためのユーザＩＤを送信する（Ｓ６８）。視聴履歴情報管理サーバ４０のネットワーク送受信部４２が、送信されたユーザＩＤを受信すると、認証部４１は当該ユーザＩＤによりユーザの認証を行い、当該認証後、ネットワーク送受信部４２は携帯端末２０へ、ネットワーク３０を通じて、操作履歴情報送信の要求を送信する（Ｓ６９）。携帯端末２０のネットワーク送受信部２６が、当該操作履歴情報送信の要求を受信すると、ネットワーク送受信部２６は、視聴履歴情報管理サーバ４０へ、ネットワーク３０を通じて、テレビ視聴時の処理にて操作履歴情報テーブル２４Ａに記憶された操作履歴情報を送信する（Ｓ７０）。
【００６９】
続いて、視聴履歴情報管理サーバ４０のネットワーク送受信部４２が、当該送信された操作履歴情報を受信すると、放送局判別部４４は、放送局テーブル４６を参照し、当該操作履歴情報に含まれるネットワークＩＤから視聴された放送局を判別する（Ｓ７１）。
【００７０】
続いて、テレビ視聴履歴格納部４８は、上記各処理により取得したユーザＩＤ、操作履歴情報、視聴された放送局情報の各情報を対応付け、当該ユーザのテレビ視聴履歴情報として、テレビ視聴履歴データベース４８Ａに記憶させる（Ｓ７２）。これらの処理の終了後、自動起動された操作履歴を送信するための送信部アプリケーションは終了する。
【００７１】
これにより、視聴者個人により携帯されるテレビ受像機能を備えた「携帯端末」によって行われた操作の履歴情報が、デジタル放送波に含まれたネットワークＩＤにより判別された放送局情報と対応付けられてテレビ視聴履歴情報としてサーバに自動的に格納される。従って、視聴者個人が旅行時や外出時などのテレビ視聴の際に行った操作の履歴情報もテレビ視聴履歴情報としてサーバに格納することができ、かつ視聴者に手間をかけることなく、視聴者個人のデジタル放送のテレビ視聴履歴情報を自動的にサーバに格納することで、固定のテレビ受像機の視聴率のみならずテレビ受像機を備えた携帯端末での視聴率を含めたデジタル放送のテレビの個人視聴率をより正確に測定するための視聴履歴情報を収集することができる。また、本実施形態においては、携帯端末向け放送の個人視聴率をより正確に測定するための視聴履歴情報を収集することができる。もちろん、サーバが要求した場合にも随時、サーバは固定のテレビ受像機の視聴率のみならずテレビ受像機を備えた携帯端末での視聴率を含めたデジタル放送のテレビの個人視聴率をより正確に測定するための視聴履歴情報を収集することができる。また、携帯端末向け放送の個人視聴率をより正確に測定するための視聴履歴情報も収集することができる。
【００７２】
なお、上記いずれの実施形態においても、これまで調査漏れとなっていた固定電話を持っていない世帯からも視聴率を測定するための視聴履歴情報が取得でき、データの信頼性が向上する。また、これらの実施形態を実現するには、携帯端末の視聴履歴取得機能付きのリモコンソフトを開発するだけで済むので、視聴履歴情報収集のコストを抑えられ、視聴履歴情報収集のサンプルを増やすことが可能となる。
【００７３】
【発明の効果】
以上説明したように、本発明によれば、視聴者個人により携帯される「携帯端末」によって行われた操作の履歴情報が、放送局情報と対応付けられてテレビ視聴履歴情報としてサーバに自動的に格納されるため、ＩＳＤＮ回線が接続されたテレビ受像機についての操作の履歴情報のみならず、視聴者個人が旅行時や外出時などのテレビ視聴の際に行った操作の履歴情報もテレビ視聴履歴情報としてサーバに格納することができる。従って、視聴者に手間をかけることなく、視聴者個人のテレビ視聴履歴情報を自動的にサーバに格納することで、テレビの個人視聴率をより正確に測定するための視聴履歴情報を収集することができる。
【図面の簡単な説明】
【図１】第１実施形態におけるテレビ視聴履歴収集システムの構成図である。
【図２】第１実施形態における操作履歴情報テーブルの一例を示す図である。
【図３】第１、第３実施形態における放送局テーブルの一例を示す図である。
【図４】第１実施形態におけるテレビ視聴履歴データベースの一例を示す図である。
【図５】第１実施形態における処理を表すシーケンス図である。
【図６】第２実施形態におけるテレビ視聴履歴収集システムの構成図である。
【図７】第２実施形態における操作履歴情報テーブルの一例を示す図である。
【図８】第２実施形態における放送局テーブルの一例を示す図である。
【図９】第２実施形態におけるテレビ視聴履歴データベースの一例を示す図である。
【図１０】第２実施形態における処理を表すシーケンス図である。
【図１１】第３実施形態におけるテレビ視聴履歴収集システムの構成図である。
【図１２】第３実施形態における操作履歴情報テーブルの一例を示す図である。
【図１３】第３実施形態におけるテレビ視聴履歴データベースの一例を示す図である。
【図１４】第３実施形態における処理を表すシーケンス図である。
【符号の説明】
１…テレビ視聴履歴収集システム、１０…テレビ受像機、２０…携帯端末、２２…テレビ操作部、２４…操作履歴格納部、２４Ａ…操作履歴情報テーブル、２６…ネットワーク送受信部、２８…基地局情報受信部、２９…テレビ受像部、３０…ネットワーク、４０…視聴履歴情報管理サーバ、４１…認証部、４２…ネットワーク送受信部、４４…放送局判別部、４６…放送局テーブル、４８…テレビ視聴履歴格納部、４８Ａ…テレビ視聴履歴データベース、５０…基地局。
【図１】
2005079609.tif 000003
【図２】
2005079609.tif 000004
【図３】
2005079609.tif 000005
【図４】
2005079609.tif 000006
【図５】
2005079609.tif 000007
【図６】
2005079609.tif 000008
【図７】
2005079609.tif 000009
【図８】
2005079609.tif 000010
【図９】
2005079609.tif 000011
【図１０】
2005079609.tif 000012
【図１１】
2005079609.tif 000013
【図１２】
2005079609.tif 000014
【図１３】
2005079609.tif 000015
【図１４】
2005079609.tif 000016